(57)【要約】【課題】開閉が容易となる容器等における蓋を提供する。【解決手段】容器の蓋１０は、前端から後端へ延びる横部材１５を含む。支点１４が横部材１５の一端であり、蓋１０の後端に接近した位置に設けられている。蓋の背面１７は、後部上方へ延びると共に、支点１４に対して後方へ所定距離離間した最後端部１６へ達する部分を含む。カウンタバランスウエイト１８は、最後端部に搭載されている。蓋１０を上動させるとき、蓋１０とカウンタバランスウエイト１８の重量により、蓋１０を上動させる力が働き、蓋１０を選択的な開放位置で保持できる。蓋１０が低い位置にあると、蓋１０とカウンタバランスウエイト１８の重量により、蓋１０を閉じる力が働く。【選択図】図１
2007504060.tif 000002
【特許請求の範囲】
【請求項１】
蓋の前端から後端へ延びる横部材と、横部材の一端であり、蓋の後端に接近した位置に設けられている支点と、後部上方へ延びると共に、支点に対して後方へ所定距離離間した最後端部へ達する部分を含む背面と、最後端部に搭載されているカウンタバランスウエイトとを具備し、蓋を上動させるとき、蓋とカウンタバランスウエイトの重量により、蓋を上動させる力が働き、蓋を選択的な開放位置で保持でき、蓋が低い位置にあると、蓋とカウンタバランスウエイトの重量により、蓋が閉じる力が働くことを特徴とする容器を閉塞するための蓋。
【請求項２】
カウンタバランスウエイトの重量の中心は支点の後方にあることを特徴とする請求項１記載の蓋。
【請求項３】
蓋の背面は、蓋が開放位置に在るときに接触面となる角度に形成されていることを特徴とする請求項１記載の蓋。
【請求項４】
カウンタバランスウエイトは、蓋の後部に沿って所定距離延びていることを特徴とする請求項１記載の蓋。
【請求項５】
カウンタバランスウエイトは、蓋の最後端部に沿って実質的に全長にわたり延びていることを特徴とする請求項４記載の蓋。
【請求項６】
蓋に取り付けられ、蓋を上下動させるためのハンドルを具備することを特徴とする請求項１記載の蓋。
【請求項７】
カウンタバランスウエイトは、蓋内に設けられ、蓋の上下動を補助することを特徴とする請求項１記載の蓋。
【請求項８】
蓋の前端から後端へ延びる第１の横部材と、蓋の前端から後端へ延びる第２の横部材と、第１の横部材と第２の部材の遠位端であり、蓋の後端に接近した位置に設けられている支点と、第１の横部材と第２の部材との間に形成され、後部上方へ延びると共に、支点に対して後方へ所定距離離間した最後端部へ達する部分を含む背面と、最後端部に搭載されているカウンタバランスウエイトとを具備し、蓋を上動させるとき、蓋とカウンタバランスウエイトの重量により、蓋を上動させる力が働き、蓋を選択的な開放位置で保持でき、蓋が低い位置にあると、蓋とカウンタバランスウエイトの重量により、蓋が閉じる力が働くことを特徴とする容器を閉塞するための蓋。
【請求項９】
カウンタバランスウエイトの重量の中心は支点の後方にあることを特徴とする請求項８記載の蓋。
【請求項１０】
蓋の背面は、蓋が開放位置に在るときに接触面となる角度に形成されていることを特徴とする請求項８記載の蓋。
【請求項１１】
カウンタバランスウエイトは、蓋の最後端部に沿って所定距離延びていることを特徴とする請求項８記載の蓋。
【請求項１２】
カウンタバランスウエイトは、蓋の最後端部に沿って実質的に全長にわたり延びていることを特徴とする請求項１１記載の蓋。
【請求項１３】
蓋に取り付けられ、蓋を上下動させるためのハンドルを具備することを特徴とする請求項８記載の蓋。
【請求項１４】
カウンタバランスウエイトは、蓋内に設けられ、蓋の上下動を補助することを特徴とする請求項８記載の蓋。
【請求項１５】
蓋の前端から後端へ延びる第１の横部材と、蓋の前端から後端へ延びる第２の横部材と、第１の横部材と第２の部材との間に形成され、頂部被覆部を形成するカバーと、第１の横部材と第２の部材の遠位端であり、蓋の後端に接近した位置に設けられている支点と、第１の横部材と第２の部材との間に形成され、後部上方へ延びると共に、支点に対して後方へ所定距離離間した最後端部へ達する部分を含む背面と、支点と最後端部との間の位置に配置されているカウンタバランスウエイトとを具備し、蓋を上動させるとき、蓋とカウンタバランスウエイトの重量により、蓋を上動させる力が働き、蓋を選択的な開放位置で保持でき、蓋が低い位置にあると、蓋とカウンタバランスウエイトの重量により、蓋が閉じる力が働くことを特徴とする容器を閉塞するための蓋。
【請求項１６】
カウンタバランスウエイトの重量の中心は支点の後方にあることを特徴とする請求項１５記載の蓋。
【請求項１７】
蓋の背面は、蓋が開放位置に在るときに接触面となる角度に形成されていることを特徴とする請求項１５記載の蓋。
【請求項１８】
カウンタバランスウエイトは、蓋の最後端部に沿って所定距離延びていることを特徴とする請求項１５記載の蓋。
【請求項１９】
カウンタバランスウエイトは、蓋の最後端部に沿って実質的に全長にわたり延びていることを特徴とする請求項１８記載の蓋。
【請求項２０】
カウンタバランスウエイトは、蓋内に設けられ、蓋の上下動を補助することを特徴とする請求項１５記載の蓋。
【発明の詳細な説明】
【技術分野】
【０００１】
本発明は、利用者が、蓋の前部を起こしたり開放したりするときに蓋を上方へ持ち上げる力を作用させる容器の蓋を提供する。
同様に利用者が蓋を下方へ引いて閉じる際に、蓋を下方へ引く力が作用する。
【背景技術】
【０００２】
従来、サラダバーで食物を見えるように使用される容器には、通常金属やガラスでできたカバーが設けられ、利用者が容器内の食物に手を伸ばすことを許容するために取り除けるようにする必要がある。このタイプのカバーでは、カバーを取り除いて横に置き、利用者が容器内から食物を取り出せるようにしなければならないという課題がある。これにより、利用者が食物を容器から取り出している間、カバーをディスプレイテーブルのどこかに置いておかねばならず、問題がある。更に、カバーの内側に容器内の食物から発生して凝縮した水分が付着していると、カバーをディスプレイテーブルへ置いた際に、カバーの内側の水分がディスプレイテーブルを汚すおそれがある。
【発明の開示】
【発明が解決しようとする課題】
【０００３】
本発明の目的は、消費者が容器内の食物に手を伸ばそうと蓋またはカバーを持ち上げた際に、蓋の後部に隣接して設けられた支点を中心に蓋が回動して蓋の上動および保持を助ける容器の蓋を提供することである。また、本発明に係る容器の蓋は、蓋の位置が低い位置にあるときには容器を閉じる位置へ移動させる。
【課題を解決するための手段】
【０００４】
上記およびその他の本発明の目的は、蓋の前端から後端へ延びる横部材を含む容器の蓋により達成される。支点は、横部材の一端であり、蓋の後端に接近した位置に設けられている。蓋の背面は、後部上方へ延びると共に、支点に対して後方へ所定距離離間した最後端部へ達する部分を含む。カウンタバランスウエイトが最後端部に搭載されている。蓋を上動させるとき、蓋とカウンタバランスウエイトの重量により、蓋を上動させる力が働き、蓋を選択的な開放位置で保持できる。蓋が低い位置にあると、蓋とカウンタバランスウエイトの重量により、蓋が閉じる力が働く。
【発明を実施するための最良の形態】
【０００５】
更に、本発明の適用範囲は以下の詳細な説明により明らかにする。しかし、本発明の好適な実施例を示す詳細な説明と特定の例を図で示すが、詳細な説明を基に発明の精神と適用範囲内における種々の改変、改良を施し得るのは当業者にとって自明である。
本発明は、以下の詳細な説明および図解する添付図面により更に十分理解されるが、それらは本発明を限定するものではなく、図面のうち：
図１は、開放位置に在る容器用蓋の斜視図であり；
図２は、閉塞位置に在る容器用蓋の斜視図であり；
図３は、本発明に係る容器用蓋の他の実施例を示す断面図である。
【０００６】
図１において、容器２０の蓋１０は起きた位置、すなわち開放位置に在る。蓋１０が開放されたとき、消費者は容器２０内に在る食物や商品に手を伸ばすことができる。容器２０は、ディスプレイテーブル３０に形成された凹部内に設置されている。ハンドル１２は、蓋１０を持ち上げたり、下げたりするときに消費者がハンドル１２を持つように設けられている。
【０００７】
蓋１０には、蓋１０の後部に配置された支点１４を含む。支点１４は、オーバーセンターポイントであり、蓋１０の横部材１５a、１５bの端部に形成されている。蓋１０の後部は、上部後方へ延びて、支点１４から後方へ所定距離離間した位置である最後端部１６へ達している。カウンタバランスウエイト１８は、最後端部１６の上に配置されている。蓋１０には、蓋１０の後端付近に突設され、ディスプレイテーブル３０上で梃子の働きをする支点１４が設けられている。支点の高さと位置は、蓋の大きさと重さによる。蓋１０が一旦開けられると、支点すなわちオーバーセンターポイント１４を中心に回動する蓋１０のカウンタウエイトおよびカウントバランスウエイト１８により、蓋１０は背面１７が接して開放位置に在る。
【０００８】
図２に示すように、蓋１０が閉塞位置に在るとき、支点１４と横部材１５a、１５bは、蓋１０がディスプレイテーブル３０に接するのを許容する。消費者がハンドル１２を握って蓋１０を上動させようとすると、支点すなわちオーバーセンターポイント１４より後方の蓋１０の後部に取り付けられたカウンタバランスウエイト１８は、カウンタバランスの役目をする。カウンタバランスの重さと位置は、蓋の大きさと重さにより決定される。
【０００９】
消費者が蓋１０を上げると、蓋１０とカウンタバランスウエイト１８の重量の中心は、後方へ移動し、蓋の前方は軽くなる。一旦、重量の中心が支点すなわちオーバーセンターポイントを超えると、蓋は更に開き、または停止されると開放状態を維持しようとする。消費者が蓋を引き下げると、蓋１０の重量中心は、支点すなわちオーバーセンターポイントの前方へ移動し、蓋の前部が重くなり、蓋１０を閉じようとするので、蓋１０の閉塞状態が維持される。蓋の重量とカウンタバランスウエイトの重量の状態は、蓋の重量とカウンタバランスウエイト１８の重量の中心が支点の前方に在る状態である。
【００１０】
更に詳細には、図１、２に示すように、蓋１０が上動するときに、蓋１０の重量はカウンタバランスウエイト１８と協働して蓋とカウンタバランスウエイト１８の重量を支点１４を超して後方へ移動させて蓋１０を上動させ、蓋１０の背面１７が接触した蓋１０の開放状態を維持する。更に、支点すなわちオーバーセンターポイント１４とカウンタバランスウエイト１８は、蓋１０を閉塞状態にするために低位置へ移動させる。ハンドル１２は、消費者がハンドル１２を握って蓋１０を上動させたり、下動させるために設けられている。
【００１１】
本発明では蓋１０の開閉に蓋１０とカウンタバランスウエイト１８の重量を利用している。蓋１０の動作用に、スプリングを介挿したヒンジや機械装置は不要である。
【００１２】
図１、２に示すように、蓋を上動させて開放位置に移動させ、下動させて閉塞位置に移動させるために、カウンタバランスウエイト１８は蓋１０の外側部分に配置することができる。
【００１３】
図３は断面図であり、カウンタバランスウエイト１１８は、蓋１００の後部内側に配置されている。背面１１７は、カウンタバランスウエイト１１８に隣接している。支点すなわちオーバーセンターポイント１１４は、蓋１００の後部に配置されている。蓋の重量とカウンタバランスウエイトの重量の状態は、蓋の重量とカウンタバランスウエイト１１８の重量の中心が支点の前方に在る状態である。したがって、蓋１００の重量はカウンタバランスウエイト１１８と協働して蓋とカウンタバランスウエイト１１８の重量を支点１１４を超して後方へ移動させて蓋１１０を上動させ、蓋１００の背面１１７が接触した蓋１１０の開放状態を維持する。更に、支点すなわちオーバーセンターポイント１１４とカウンタバランスウエイト１１８は、蓋１００を閉塞状態にするために低位置へ移動させる。ハンドル１１２は、消費者がハンドル１１２を握って蓋１００を上動させたり、下動させるために設けられている。
【００１４】
使用に際して、蓋はディスプレイテーブルやその他の配給場所に置かれた容器を閉塞するために配置される。蓋には蓋の前端から後端にかけて延びる第１の横部材が含まれている。また、第２の横部材も蓋の前端から後端にかけて延びている。カバーは第１の横部材と第２の横部材の間に設けられ、頂部閉塞部分を形成している。支点は、第１の横部材と第２の横部材の遠位端に形成され、蓋の後部に近接して配置されている。蓋の背面は、第１の横部材と第２の横部材の間で背面を閉塞するように形成され、支点から後部上方へ延びると共に、支点に対して後方へ所定距離離間した最後端部へ達する。カウンタバランスウエイトは、支点と蓋の最後端部との間に配置される。蓋の重量とカウンタバランスウエイトの重量の状態は、蓋の重量の中心が支点の前方に在る状態である。したがって、蓋が上動されると、蓋とカウンタバランスウエイトの重量が蓋を上動させる力を発生させ、蓋の背面がディスプレイテーブルやその他の配給場所と接触すると、蓋を開放位置で選択的に維持することができる。更に、蓋を低位置へ移動させると、蓋とカウンタバランスウエイトの重量により蓋を閉塞させる力が発生する。
【００１５】
蓋１０、１００の図示された形状は実質的に矩形である。本発明において、形状は特に限定されない。蓋１０、１００の形状は、被覆される容器の外形により、例えば矩形、方形、円形、三角形等であってもよい。
【００１６】
本発明に係るカバー１０は、簡単に取り外せてキッチンで洗浄するようにしてもよいのは理解されよう。また、カバー１０には、消費者が容器２０内の食物を目視できるよう、ガラスやプラスチックでできた覗き窓を設けてもよい。更に、カバー１０は、サラダバーだけでなく、料理を温めたり、温料理ライン用、テーブル準備用等に使用してもよい。
【００１７】
本発明について説明したが、本発明に多くの改変を施すことができる。そのような改変は発明の精神および適用範囲を逸脱するものとはみなさず、そのような全ての改変であって当業者にとって自明なものは後述する請求の範囲に含まれるものである。
【図面の簡単な説明】
【００１８】
【図１】図１は、開放位置に在る容器用蓋の斜視図であり、
【図２】図２は、閉塞位置に在る容器用蓋の斜視図であり、
【図３】図３は、本発明に係る容器用蓋の他の実施例を示す断面図である。
【符号の説明】
【００１９】
１０、１００  蓋
１２、１１２  ハンドル
１４、１１４  支点
１６  最後端部
１７、１１７  背面
１８  カウンタバランスウエイト
２０  容器
３０  ディスプレイテーブル
【図１】
2007504060.tif 000003
【図２】
2007504060.tif 000004
【図３】
2007504060.tif 000005
【国際調査報告】
2007504060.tif 000006